(57)【要約】【課題】画像記録装置及びその方法を提供すること。【解決手段】搬送ベルト２６と、搬送ベルトを通してエアーを吸引し搬送ベルト上に記録媒体を吸着させるエアー吸引部とを含む搬送部１９と、搬送部により搬送される記録媒体に対してインクを吐き出して記録を行う記録ヘッド２０と、エアー吸引により生じる搬送ベルト上への記録媒体の吸着力を記録媒体のサイズに応じて調整する吸着力調整部とを具備する。【選択図】図１
2010155457.tif 000002
【特許請求の範囲】
【請求項１】
搬送ベルトと、前記搬送ベルトを通してエアーを吸引し前記搬送ベルト上に前記記録媒体を吸着させるエアー吸引部とを含む搬送部と、
前記搬送部により搬送される前記記録媒体に対してインクを吐き出して記録を行う記録ヘッドと、
前記エアー吸引により生じる前記搬送ベルト上への前記記録媒体の吸着力を前記記録媒体のサイズに応じて調整する吸着力調整部と、
を具備することを特徴とする画像記録装置。
【請求項２】
前記吸着力調整部は、前記記録媒体のサイズが小さくなる程、前記搬送ベルト上における前記記録媒体に対する吸着力を大きくすることを特徴とする請求項１記載の画像記録装置。
【請求項３】
前記吸着力調整部は、前記記録媒体のサイズに応じたエリア内で前記エアーを吸引することを特徴とする請求項２記載の画像記録装置。
【請求項４】
前記搬送ベルトを支持し、かつ前記エアーを通す複数の第１の吸引口が設けられたベルト支持部材を含み、
前記吸着力調整部は、前記ベルト支持部材と前記エアー吸引部との間に設けられ、前記エアーを通す複数の第２の吸引口が設けられた吸引口可変部材と、
前記ベルト支持部材に対して前記吸引口可変部材を移動させ、前記記録媒体のサイズに応じて開放する前記第１の吸引口を可変する部材移動部と、
を含むことを特徴とする請求項３記載の画像記録装置。
【請求項５】
前記吸着力調整部は、前記搬送ベルトと前記エアー吸引部との間に設けられ、前記搬送ベルトを通して吸引される前記エアーを流す吸引スペースを形成する吸引用枠体と、
前記吸引スペースの大きさを可変する２つの仕切り部材と、
前記記録媒体のサイズに応じて前記各仕切り部材を前記吸引用枠体内で移動させる仕切り部材移動部と、
を含むことを特徴とする請求項３記載の画像記録装置。
【請求項６】
前記吸着力調整部は、前記搬送ベルトと前記エアー吸引部との間に設けられ、前記搬送ベルトを通して吸引される前記エアーを流す吸引スペースを形成する吸引用枠体と、
前記吸引用枠体内を複数に分割して複数の吸引区域を形成する分割部材と、
を含み、
前記記録媒体のサイズに応じて前記エアーを吸引する前記各吸引区域を制御する吸引区域制御部と、
を含むことを特徴とする請求項３記載の画像記録装置。
【請求項７】
前記搬送部は、前記記録媒体を反転する反転機構を有し、
前記記録媒体の一方の面に記録を行った後、前記反転機構により前記記録媒体を反転し、前記記録媒体の他方の面に記録を行う場合、
前記吸着力調整部は、前記記録媒体の第１面に記録を行うときの前記記録媒体の吸着力よりも前記記録媒体の第２面に記録を行うときの前記記録媒体の吸着力を大きくする、
ことを特徴とする請求項１記載の画像記録装置。
【発明の詳細な説明】
【技術分野】
【０００１】
本発明は、搬送路上に搬送される記録媒体に対してインクを吐き出して記録を行う画像記録装置に関する。
【背景技術】
【０００２】
画像記録装置には、インクジェットヘッドを備えたインクジェット記録装置がある。インクジェット記録装置は、例えば紙等の記録媒体を搬送部により搬送させながらインクジェットヘッドからインクを吐き出して記録媒体に記録を行う。搬送部は、搬送ベルト上に記録媒体を吸着し、搬送ベルトを移動させて記録媒体を搬送する。搬送ベルトには、複数の吸引口が設けられている。記録媒体は、各吸引口を通して吸引されるエアーによって生じる負圧によって搬送ベルト上に吸着される。例えば特許文献１は、エアーによって生じる負圧によって記録媒体を搬送ベルト上に吸着する技術を開示する。
【発明の概要】
【発明が解決しようとする課題】
【０００３】
搬送ベルト上に吸着される記録媒体は、各種サイズがある。サイズの異なる記録媒体が搬送ベルト上に吸着されると、各サイズ毎に記録媒体により覆われる各吸引口の個数が異なる。このため、記録媒体のサイズ毎に吸引力が変化してしまい、例えば記録媒体の先端側が搬送ベルトから浮くことがある。記録媒体が浮くと、インクジェットヘッドの吐出孔と記録媒体との距離が一定に保たれない。記録媒体がインクジェットヘッドの吐出し面に接触し、インクジェットヘッドから吐き出されたインクが記録媒体上の所定位置に着弾されない。このため、記録媒体上に形成される画像が不良となる。
【０００４】
記録媒体の両面に画像を記録する場合は、記録媒体の一方の面にインクを着弾させて画像を記録し、次に、記録媒体の他方の面にインクを着弾させて画像を記録する。記録媒体の一方の面にインクを着弾させたとき、記録媒体は、インクを吸収し、波状に膨らむ、いわゆるコックリング現象を生じる場合がある。このため、記録媒体の他方の面にインクを着弾させるとき、波状に膨らんだ記録媒体がインクジェットヘッドの吐出し面に接触し、上記同様に、記録媒体上に形成される画像が不良となる。
【０００５】
本発明は、記録媒体のサイズが異なったり、記録媒体の両面に画像を記録する場合でも、記録媒体の先端側が搬送ベルトから浮くことなく、記録媒体に高品質な記録ができる画像記録装置を提供することを目的とする。
【課題を解決するための手段】
【０００６】
本発明の画像記録装置は、搬送ベルトと、搬送ベルトを通してエアーを吸引し搬送ベルト上に記録媒体を吸着させるエアー吸引部とを含む搬送部と、搬送部により搬送される記録媒体に対してインクを吐き出して記録を行う記録ヘッドと、エアー吸引により生じる搬送ベルト上への記録媒体の吸着力を記録媒体のサイズに応じて調整する吸着力調整部とを具備する。
【発明の効果】
【０００７】
本発明によれば、記録媒体のサイズが異なったり、記録媒体の両面に画像を記録する場合でも、記録媒体の先端側が搬送ベルトから浮くことなく、記録媒体に高品質な記録ができる画像記録装置を提供できる。
【図面の簡単な説明】
【０００８】
【図１】本発明に係る画像記録装置の第１の実施の形態を示す断面構成図。
【図２】同装置における画像形成部を示す構成図。
【図３】同装置における搬送ベルトの外観図。
【図４】同装置における搬送筐体を示す外観構成図。
【図５】同装置における天板を示す外観図。
【図６】同装置における吸着力調整部の下面構成図。
【図７】同装置における吸引口蓋板を示す斜視図。
【図８】同装置における部材移動部の側面構成図。
【図９】同装置における第１のサイズの記録媒体に対応する吸引口の開放状態を示す図。
【図１０】同装置における第１及び第２のカムによる吸引口蓋板の移動を示す図。
【図１１】同装置における第２のサイズの記録媒体に対応する吸引口の開放状態を示す図。
【図１２】同装置における第３のサイズの記録媒体に対応する吸引口の開放状態を示す図。
【図１３】同装置における記録制御部を示す構成図。
【図１４】本発明に係る画像記録装置の第２の実施の形態における搬送筐体を示す構成図。
【図１５】同装置における記録制御部を示す構成図。
【図１６】本発明に係る画像記録装置の第３の実施の形態における搬送筐体を示す構成図。
【図１７】同装置におけるダクトの配設図。
【図１８】同装置における記録制御部を示す構成図。
【図１９】本発明に係る画像記録装置の第４の実施の形態を示す構成図。
【図２０】同装置における記録制御部を示す構成図。
【発明を実施するための形態】
【０００９】
以下、本発明の第１の実施の形態について図面を参照して説明する。
【００１０】
図１は画像記録装置の断面図を示す。画像記録装置１は、装置筐体２を有する。装置筐体２内の下方には、媒体給紙部３が設けられている。装置筐体２内の上部には、画像形成部４Ｐが設けられている。媒体給紙部３には、複数の給紙用トレイ４〜７が上下方向に重ねて設けられている。各給紙用トレイ４〜７には、それぞれサイズの異なる記録媒体８が設けられている。各給紙用トレイ４〜７には、それぞれ各ピックアップローラ９〜１２が設けられている。各ピックアップローラ９〜１２は、各給紙用トレイ４〜７に収納されている複数の記録媒体８のうち最上位置の記録媒体７を１枚ずつピックアップし、媒体送り機構１３に供給する。
【００１１】
媒体送り機構１３は、媒体給紙部３と画像形成部４Ｐとの間に跨って設けられている。媒体送り機構１３は、各送りローラ対１４〜１８を有し、各送りローラ対１４〜１８の回転により各給紙用トレイ４〜７からそれぞれ供給された記録媒体８を搬送機構１９に送る。
【００１２】
図２は画像形成部４Ｐの構成図を示す。画像形成部４Ｐは、各給紙用トレイ４〜７から供給される記録媒体８に画像を記録する。画像形成部４Ｐは、搬送機構１９と、記録ヘッドとしての４つのインクジェットヘッド２０ｋ、２０ｃ、２０ｍ、２０ｙと、前処理液供給部２１とを含む。
【００１３】
搬送機構１９は、媒体送り機構１３から供給される記録媒体８を各インクジェットヘッド２０ｋ、２０ｃ、２０ｍ、２０ｙの下方に矢印Ａ方向に一定の速度で搬送する。搬送機構１９は、搬送筐体２２を有する。搬送筐体２２には、移動機構としての駆動ローラ２３と、複数の従動ローラ２４ａ、２４ｂ、２４ｃ、２４ｄと、テンションローラ２５とが設けられている。駆動ローラ２３と各従動ローラ２４ａ、２４ｂ、２４ｃ、２４ｄとテンションローラ２５との間には、搬送ベルト２６が掛けられている。搬送ベルト２６は、図３に示すように帯状で、かつ無端に形成されている。搬送ベルト２６の全面には、複数の吸引口２６ａが均一に設けられている。搬送ベルト２６は、繊維にゴム等の樹脂を積層し、表面を研磨して製作される。搬送ベルト２６は、ポリイミド等の樹脂を一体的に成形してもよい。搬送ベルト２６は、ステンレス鋼等の有端ベルトの各端部を接続し、無端に形成してもよい。テンションローラ２５は、搬送ベルト２６に所定の張力を与える。駆動ローラ２３は、回転することにより搬送ベルト２６を駆動ローラ２３と各従動ローラ２４ａ、２４ｂ、２４ｃ、２４ｄとテンションローラ２５との間に移動させる。
【００１４】
各インクジェットヘッド２０ｋ、２０ｃ、２０ｍ、２０ｙは、搬送機構１９の搬送方向Ａに所定の間隔毎に配置されている。各インクジェットヘッド２０ｋ、２０ｃ、２０ｍ、２０ｙは、それぞれ各色、例えばブラック（Ｋ）、シアン（Ｃ）、マゼンタ（Ｍ）、イエロ（Ｙ）の各インクを吐出する複数の吐出孔が設けられている。インクジェットヘッド２０ｋは、各吐出孔から例えばＫ色のインクを吐き出す。インクジェットヘッド２０ｃは、各吐出孔から例えばＣ色のインクを吐き出す。インクジェットヘッド２０ｍは、各吐出孔から例えばＭ色のインクを吐き出す。インクジェットヘッド２０ｙは、各吐出孔から例えばＹ色のインクを吐き出す。各インクジェットヘッド２０ｋ、２０ｃ、２０ｍ、２０ｙは、４つに限らず、例えば少なくとも１つのインクジェットヘッドのみを配置してもよい。例えばインクジェットヘッド２０ｋのみであれば、モノクロームの画像が記録媒体２に記録される。
【００１５】
前処理液供給部２１は、各インクジェットヘッド２０ｋ、２０ｃ、２０ｍ、２０ｙの搬送方向Ａの上流側に設けられている。前処理液供給部２１は、前処理液を記録媒体８に塗布する。前処理液は、インクを記録媒体８に定着する時間を速くする。前処理液は、例えば、カルボキシメチルセルロース、ポリビニルアルコール、ポリ酢酸ビニル等のポリマ溶液である。
【００１６】
図４は搬送筐体２２の外観構成図を示す。搬送筐体２２の側壁には、エアー吸引部としての例えば３つの吸着ファン２７ａ、２７ｂ、２７ｃが設けられている。搬送筐体２２内には、エアーを流す吸引スペース２２−１を形成する吸引用枠体２２−２が設けられている。吸引スペース２２−１の底面２２−３には、例えば３つのダクト開口部２２−４〜２２−６が設けられている。各ダクト開口部２２−４〜２２−６は、同一の開口面積に形成されている。ダクト開口部２２−４は、吸着ファン２７ａに連通する。ダクト開口部２２−５は、吸着ファン２７ｂに連通する。ダクト開口部２２−６は、吸着ファン２７ｃに連通する。各吸着ファン２７ａ、２７ｂ、２７ｃは、それぞれ回転することにより各ダクト開口部２２−４〜２２−６を通してエアーを吸引する。
【００１７】
搬送筐体２２の上部には、図５に示すベルト支持部材としての天板３０が設けられている。天板３０は、天板支持枠３１に設けられている。天板支持枠３１は、天板３０の縁部に沿った四辺形状に形成されている。具体的に天板３０を備えた天板支持枠３１は、図４に示す搬送筐体２２の上部に設けられ、吸引スペース２２−１の上辺を閉じる。天板３０は、平板状に形成されている。天板３０の上面には、搬送ベルト２６が移動する。天板３０は、搬送ベルト２６を平面状に支持する。天板３０には、複数の第１の吸引口３２が等間隔に設けられている。各第１の吸引口３２は、例えば円形に形成されている。
【００１８】
天板３０の下方には、吸着力調整部４０が設けられている。図６は天板３０の下方から見た吸着力調整部４０の構成図を示す。吸着力調整部４０は、各吸着ファン２７ａ、２７ｂ、２７ｃのエアー吸引により生じる搬送ベルト２６上への記録媒体８の吸着力を記録媒体８のサイズに応じて調整する。吸着力調整部４０は、記録媒体８のサイズが小さくなる程、搬送ベルト２６上における記録媒体８に対する吸着力を大きくする。
【００１９】
以下、具体的に説明する。吸着力調整部４０は、吸引口可変部材としての吸引口蓋板４１と、吸引口蓋板４１を移動方向Ｂに移動させる部材移動部４２とを含む。移動方向Ｂは、搬送方向Ａと平行である。
【００２０】
吸引口蓋板４１は、移動方向Ｂに移動し、天板３０の各第１の吸引口３２を開閉する。吸引口蓋板４１は、例えば、記録媒体８のサイズＳ１、Ｓ２、Ｓ３に応じて各エリアＥ１、Ｅ２、Ｅ３内の天板３０における各第１の吸引口３２を開放する。記録媒体８の各サイズＳ１、Ｓ２、Ｓ３は、記録媒体８の幅方向、すなわち、搬送される搬送方向に対して直交方向のサイズを示す。記録媒体８は、サイズＳ１が最も大きく、次にサイズＳ２、次にサイズＳ３の順に大きい。
【００２１】
記録媒体８が各サイズＳ１、Ｓ２、Ｓ３に拘わらず搬送ベルト２６の中央部に位置決めされて搬送される場合、第１のエリアＥ１は、第１のサイズＳ１の記録媒体８に対応する。第１のサイズＳ１の記録媒体８は、第１のエリアＥ１内に搬送される。第２のエリアＥ２は、第２のサイズＳ２の記録媒体８に対応する。第２のサイズＳ２の記録媒体８は、第２のエリアＥ２内に搬送される。第３のエリアＥ３は、第３のサイズＳ３の記録媒体８に対応する。第３のサイズＳ３の記録媒体８は、第３のエリアＥ３内に搬送される。
【００２２】
図７は吸引口蓋板４１の外観図を示す。吸引口蓋板４１は、平板状に形成されている。吸引口蓋板４１には、複数の第２の吸引口４３が等間隔に設けられている。各第２の吸引口４３の間隔は、天板３０の各第１の吸引口３２の間隔と同一である。各第２の吸引口４３の大きさは、各エリアＥ１、Ｅ２、Ｅ３毎に異なる。
【００２３】
吸引口蓋板４１の各第２の吸引口４３は、複数の第２の吸引口４３ａと、複数の第２の吸引口４３ｂと、複数の第２の吸引口４３ｃとを含む。各第２の吸引口４３の大きさは、各第２の吸引口４３ａ、各第２の吸引口４３ｂと、各第２の吸引口４３ｃの順で大きく形成されている。各第２の吸引口４３ａは、例えば円形に形成されている。各第２の吸引口４３ｂは、記録媒体８の搬送方向が長手方向の長方形状に形成されている。各第２の吸引口４３ｂの長手方向は、吸引口蓋板４１の移動方向Ｂと同一方向に設けられている。各第２の吸引口４３ｃは、長方形状に形成されている。各第２の吸引口４３ｃの長手方向は、吸引口蓋板４１の移動方向Ｂと同一方向に設けられている。各第２の吸引口４３ｃの長手方向の長さは、各第２の吸引口４３ｂの長手方向の長さよりも長くも設けられている。各第２の吸引口４３ｃの長手方向の長さは、吸引口蓋板４１の移動方向Ｂへの移動範囲と略同一に設けられている。すなわち記録媒体８の搬送方向と同一方向に対して中心側に近い第２の吸引口４３ほど、各第２の吸引口４３ｃの長手方向の長さは長くなっている。
【００２４】
第１のエリアＥ１内には、各第２の吸引口４３ａと、各第２の吸引口４３ｂと、各第２の吸引口４３ｃとが設けられている。第３のエリアＥ３内には、各第２の吸引口４３ｃが設けられている。第２のエリアＥ２内で、第３のエリアＥ３を除いたエリアには、各第２の吸引口４３ｂが設けられている。第３のエリアＥ３内で、第２のエリアＥ２を除いたエリアには、各第２の吸引口４３ａが設けられている。
【００２５】
部材移動部４２は、天板３０に対して吸引口蓋板４１を移動方向Ｂに移動させ、記録媒体８のサイズＳ１、Ｓ２、Ｓ３に応じて開放状態にする各第１の吸引口４３（４３ａ、４３ｂ、４３ｃ）を可変する。部材移動部４２は、記録媒体８がサイズＳ１であれば、天板３０における全ての各第１の吸引口４３（４３ａ、４３ｂ、４３ｃ）を開放する。部材移動部４２は、記録媒体８がサイズＳ２であれば、天板３０における各第１の吸引口４３ｂ、４３ｃを開放する。部材移動部４２は、記録媒体８がサイズＳ３であれば、天板３０における各第１の吸引口４３ｃを開放する。
【００２６】
図８は部材移動部４２の側面の構成図を示し、図９は部材移動部４２の底面側の構成図を示す。天板３０の下部には、各スライダ５０、５１が設けられている。各スライダ５０、５１は、Ｌ字形状の断面に形成されている。各スライダ５０，５１は、吸引口蓋板４１を移動方向Ｂに移動可能に支持する。
【００２７】
部材移動部４２には、駆動源としての蓋駆動モータ５２が設けられている。蓋駆動モータ５２の回転軸には、伝達機構５３が連結されている。伝達機構５３は、蓋駆動モータ５２の回転軸の回転を移動方向Ｂへの直線移動に変換し、直線移動を吸引口蓋板４１に伝達する。
【００２８】
具体的に蓋駆動モータ５２の回転軸には、第１のギアユニット５４が設けられている。第１のギアユニット５４は、蓋駆動モータ５２の回転軸の回転を連結部材５５に伝達する。第１のギアユニット５４は、２つのギア５４ａ、５４ｂが成る。各ギア５４ａ、５４ｂは、それぞれ平ギアに形成され、互いに歯合している。ギア５４ａは、蓋駆動モータ５２の回転軸に設けられている。ギア５４ｂは、連結部材５５の中間部に設けられている。
【００２９】
連結部材５５は、円柱状に形成されている。連結部材５５は、伝達機構５３を介して蓋駆動モータ５２の回転力を受けて矢印Ｃ方向に回転する。連結部材５５の矢印Ｃ方向の回転は、連結部材５５の長手方向を回転軸とする。
【００３０】
連結部材５５の両端部には、それぞれ第２のギアユニット５６、第３のギアユニット５７が設けられている。各ギアユニット５６、５７は、それぞれ連結部材５５の矢印Ｃ方向の回転の軸方向を矢印Ｄ１、Ｄ２方向の回転軸にそれぞれ９０°変換する。第２のギアユニット５６は、２つのギア５６ａ、５６ｂが成る。各ギア５６ａ、５６ｂは、それぞれ円錐状のギアに形成され、互いに歯合している。ギア５６ａは、連結部材５５に設けられている。ギア５６ｂは、第１のカム５８に設けられている。第３のギアユニット５７は、２つのギア５７ａ、５７ｂが成る。各ギア５７ａ、５７ｂは、それぞれ円錐状のギアに形成され、互いに歯合している。ギア５７ａは、連結部材５５に設けられている。ギア５７ｂは、第２のカム５９に設けられている。第１のカム５８と第２のカム５９とは、吸引口蓋板４１の一端に接触する。
【００３１】
天板支持枠３１の両下端部には、それぞれ２つのバネ６０、６１が設けられている。各バネ６０、６１の各一端６０ａ、６１ａは、それぞれ天板支持枠３１の下部に係止されている。各バネ６０、６１の各他端６０ｂ、６１ｂは、それぞれ吸引口蓋板４１に係止されている。各バネ６０、６１は、搬送方向Ａと同一方向である各矢印Ｆ１、Ｆ２方向にそれぞれ付勢する。従って、吸引口蓋板４１は、各バネ６０、６１の付勢力によって常に第１及び第２のカム５８、５９に圧接している。
【００３２】
図１０は第１及び第２のカム５８、５９による吸引口蓋板４１の移動を示す。第１及び第２のカム５８、５９は、吸引口蓋板４１に対して互いに同一のカム面を向いてそれぞれ矢印Ｄ１、Ｄ２方向に回転する。第１及び第２のカム５８、５９は、例えば３つの接触ポイントＰ１、Ｐ２、Ｐ３のうち１ポイントで吸引口蓋板４１に接触した状態で停止する。第１の接触ポイントＰ１で停止すると、吸引口蓋板４１の端部は、停止位置Ｍ１に移動する。第２の接触ポイントＰ２で停止すると、吸引口蓋板４１の端部は、停止位置Ｍ２に移動する。第３の接触ポイントＰ３で停止すると、吸引口蓋板４１の端部は、停止位置Ｍ３に移動する。
【００３３】
図９は第１及び第２のカム５８、５９が各第１の接触ポイントＰ１で吸引口蓋板４１に接触した状態を示す。この状態では、第１のエリアＥ１内において、天板３０の各第１の吸引口３２と吸引口蓋板４１の全ての第２の吸引口４３ａ、４３ｂ、４３ｃとが重なり合う。これにより、天板３０における第１のエリアＥ１内の全ての各第１の吸引口３２が開放状態になる。
【００３４】
図１１は第１及び第２のカム５８、５９が各第２の接触ポイントＰ２で吸引口蓋板４１に接触した状態を示す。この状態では、第２のエリアＥ２内において、天板３０の各第１の吸引口３２と、吸引口蓋板４１のうち各第２の吸引口４３ｂ、４３ｃとが重なり合う。これにより、第２のエリアＥ２内の天板３０の各第１の吸引口３２が開放状態になる。天板３０の第２のエリアＥ２外の各第１の吸引口３２は、吸引口蓋板４１により塞がれる。
【００３５】
図１２は第１及び第２のカム５８、５９が各第２の接触ポイントＰ３で吸引口蓋板４１に接触した状態を示す。この状態では、第１のエリアＥ１内において、天板３０の各第１の吸引口３２と、吸引口蓋板４１のうち各第２の吸引口４３ｃとが重なり合う。これにより、第３のエリアＥ３内の天板３０の各第１の吸引口３２が開放状態になる。天板３０の第３のエリアＥ３外の各第１の吸引口３２は、吸引口蓋板４１により塞がれる。
【００３６】
図１３は記録制御部７０の構成図を示す。記録制御部７０は、搬送機構１９と、各インクジェットヘッド２０ｋ、２０ｃ、２０ｍ、２０ｙと、部材移動部４２等をそれぞれ動作制御し、記録媒体８に画像の記録を行う。記録制御部７０は、ＣＰＵ等から成る主制御部７１を有する。主制御部７１には、操作部７２と、搬送制御部７３と、ヘッド制御部７４と、前処理液制御部７５と、移動制御部６２とが接続されている。
【００３７】
操作部７２は、各種操作キー、キーボード等から成る。操作部７２は、ユーザのマニュアルの操作を受けて例えば記録媒体８のサイズＳ１、Ｓ２、Ｓ３の設定を可能とする。
【００３８】
搬送制御部７３は、搬送機構１９の駆動ローラ２３を回転駆動し、搬送ベルト２６を駆動ローラ２３と各従動ローラ２４ａ、２４ｂ、２４ｃ、２４ｄとテンションローラ２５との間に移動させる。搬送制御部７３は、記録媒体８が搬送機構１９に到達すると、各吸着ファン２７ａ、２７ｂ、２７ｃの回転を開始し、搬送ベルト２６の各吸引口２６ａを通してエアーを吸引し、搬送ベルト２６上に記録媒体８を吸着させる。
【００３９】
ヘッド制御部７４は、記録データに従って各インクジェットヘッド２０ｋ、２０ｃ、２０ｍ、２０ｙからのインクの吐き出しを制御する。
【００４０】
前処理液制御部７５は、前処理液供給部２１を動作制御し、前処理液を記録媒体８に塗布させる。
【００４１】
移動制御部６２は、蓋駆動モータ５２を駆動制御し、記録媒体８のサイズＳ１、Ｓ２、Ｓ３に応じて吸引口蓋板４１の矢印Ｂ方向における移動量を制御する。
【００４２】
具体的に移動制御部６２は、操作部７２に設定された記録媒体８のサイズＳ１、Ｓ２、Ｓ３を受け、サイズＳ１であれば、図９に示すように第１及び第２のカム５８、５９を各第１の接触ポイントＰ１で吸引口蓋板４１に接触するように蓋駆動モータ５２を駆動制御し、図９に示すように第１のエリアＥ１内の天板３０の全ての各第１の吸引口３２を開放状態にする。
【００４３】
移動制御部６２は、サイズＳ２であれば、第１及び第２のカム５８、５９を各第２の接触ポイントＰ２で吸引口蓋板４１に接触するように蓋駆動モータ５２を駆動制御し、図１１に示すように第２のエリアＥ２内の天板３０の各第１の吸引口３２を開放状態にする。
【００４４】
移動制御部６２は、サイズＳ３であれば、第１及び第２のカム５８、５９を各第３の接触ポイントＰ３で吸引口蓋板４１に接触するように蓋駆動モータ５２を駆動制御し、図１２に示すように第３のエリアＥ３内の天板３０の各第１の吸引口３２を開放状態にする。
【００４５】
次に、上記の如く構成された装置の動作について説明する。
【００４６】
操作部７２に対してユーザのマニュアルの操作によって記録媒体８のサイズＳ１が設定されると、移動制御部６２は、蓋駆動モータ５２を駆動制御し、図９に示すように第１及び第２のカム５８、５９を各第１の接触ポイントＰ１で吸引口蓋板４１に接触させる。すなわち、蓋駆動モータ５２の回転は、図８に示すように第１のギアユニット５４を介して連結部材５５に伝達され、連結部材５５を回転させる。連結部材５５の回転は、両端の第２と第３のギアユニット５６、５７を介して第１と第２のカム５８、５９とに伝達される。第１と第２のカム５８、５９とは、それぞれ図９に示すように矢印Ｄ１、Ｄ２方向に回転する。これにより、第１及び第２のカム５８、５９は、それぞれ各第１の接触ポイントＰ１で吸引口蓋板４１に接触する。
【００４７】
吸引口蓋板４１は、各バネ６０、６１の付勢力によって常に第１及び第２のカム５８、５９に圧接しているので、第１及び第２のカム５８、５９のカム面の位置に応じて矢印Ｂ方向に移動する。第１及び第２のカム５８、５９が第１の接触ポイントＰ１で停止すると、吸引口蓋板４１の端部は、図１０に示すように停止位置Ｍ１に移動する。この結果、天板３０の各第１の吸引口３２と吸引口蓋板４１における第１のエリアＥ１内の全ての第２の吸引口４３ａ、４３ｂ、４３ｃとが図９に示すように重なり合う。これにより、第１のエリアＥ１内において天板３０の全ての第１の吸引口３２は、開放状態になる。
【００４８】
これと共にサイズＳ１の記録媒体８は、例えば給紙用トレイ４からピックアップローラ９によりピックアップされ、媒体送り機構１３に供給される。媒体送り機構１３は、給紙用トレイ４から供給された記録媒体８を搬送機構１９に送る。
【００４９】
搬送制御部７３は、搬送機構１９の駆動ローラ２３を回転駆動し、搬送ベルト２６を駆動ローラ２３と各従動ローラ２４ａ、２４ｂ、２４ｃ、２４ｄとテンションローラ２５との間に移動させる。搬送制御部７３は、各吸着ファン２７ａ、２７ｂ、２７ｃを回転させる。各吸着ファン２７ａ、２７ｂ、２７ｃの回転によりエアーは、搬送ベルト２６の各吸引口２６ａ、天板３０の各第１の吸引口３２、吸引口蓋板４１の各第２の吸引口４３を通して吸引される。エアーの吸引によりサイズＳ１の記録媒体８は、搬送ベルト２６上に吸着される。
【００５０】
前処理液制御部７５は、前処理液供給部２１を動作制御し、前処理液を記録媒体８に塗布させる。
【００５１】
ヘッド制御部７４は、記録データに従って各インクジェットヘッド２０ｋ、２０ｃ、２０ｍ、２０ｙからのインクの吐き出しを制御する。各インクジェットヘッド２０ｋ、２０ｃ、２０ｍ、２０ｙは、搬送ベルト２６上に搬送される記録媒体８にインクを吐き出して画像を記録する。
【００５２】
操作部７２に記録媒体８のサイズＳ２が設定されると、移動制御部６２は、図９に示すように第１及び第２のカム５８、５９を各第２の接触ポイントＰ２で吸引口蓋板４１に接触させる。吸引口蓋板４１は、停止位置Ｍ２に移動するので、図１１に示すように天板３０の各第１の吸引口３２と吸引口蓋板４１における第２のエリアＥ２内の各第２の吸引口４３ｂ、４３ｃとが重なり合う。これにより、第２のエリアＥ２内における各第１の吸引口３２は、開放状態になる。エアーは、第２のエリアＥ２内の各第１の吸引口３２を通して吸引される。エアーの吸引によりサイズＳ２の記録媒体８は、搬送ベルト２６上に吸着される。
【００５３】
操作部７２に記録媒体８のサイズＳ３が設定されると、移動制御部６２は、蓋駆動モータ５２を駆動制御し、図９に示すように第１及び第２のカム５８、５９を各第３の接触ポイントＰ３で吸引口蓋板４１に接触させる。吸引口蓋板４１は、停止位置Ｍ３に移動するので、図１２に示すように天板３０の各第１の吸引口３２と吸引口蓋板４１における第３のエリアＥ３内の各第２の吸引口４３ｃとが重なり合う。これにより、第３のエリアＥ３内の各第１の吸引口３２は、開放状態になる。エアーは、第３のエリアＥ３内の各第１の吸引口３２を通して吸引される。エアーの吸引によりサイズＳ３の記録媒体８は、搬送ベルト２６上に吸着される。
【００５４】
このように上記第１の実施の形態によれば、記録媒体８の各サイズＳ１、Ｓ２、Ｓ３に応じて吸引口蓋板４１を移動し、天板３０において開放状態にする各第１の吸引口３２を第１、第２、第３のエリアＥ１、Ｅ２、Ｅ３別に可変する。これにより、各サイズＳ１、Ｓ２、Ｓ３の記録媒体８とエアーを吸引する第１、第２、第３のエリアＥ１、Ｅ２、Ｅ３との大きさが一致し、各サイズＳ１、Ｓ２、Ｓ３の記録媒体８に応じた各吸引力で搬送ベルト２６上に吸着される。
【００５５】
各吸着ファン２７ａ、２７ｂ、２７ｃによるエアー吸引力は、単位面積当たり一定であるので、搬送ベルト２６上での記録媒体８の吸着力は、エリアの狭い第３、第２、第１のエリアＥ３、Ｅ２、Ｅ１の順で大きくなる。
【００５６】
記録媒体８は、サイズＳ１、Ｓ２、Ｓ３の順で一定面積当たりの重量が軽くなる。記録媒体８は、重量が軽くなると、搬送ベルト２６上から浮き易くなるので、大きなエアー吸引力で搬送ベルト２６上に吸着する必要がある。記録媒体８は、重量が重くなると、搬送ベルト２６上から浮きにくくなるので、小さなエアー吸引力でも搬送ベルト２６上に保持される。
【００５７】
従って、記録媒体８のサイズＳ１、Ｓ２、Ｓ３に応じた吸着力で記録媒体８を搬送ベルト２６上に吸着できるので、記録媒体８に高品質な記録ができる。
【００５８】
次に、本発明の第２の実施の形態について図面を参照して説明する。
【００５９】
図１４は画像記録装置１における搬送筐体２２の構成図を示す。吸引用枠体２２−２の吸引スペース２２−１内には、２つの吸着力調整部８０、９０が設けられている。各吸着力調整部８０、９０は、それぞれ記録媒体８のサイズＳ１、Ｓ２、Ｓ３に応じてエアー吸引により生じる搬送ベルト２６上への記録媒体８の吸着力を調整する。
【００６０】
具体的に、各吸着力調整部８０、９０は、それぞれ第１と第２の仕切り部材８１、９１を有する。第１と第２の仕切り部材８１、９１は、吸引スペース２２−１内に、搬送方向Ａと平行で、かつ互いに対向配置されている。第１と第２の仕切り部材８１、９１は、それぞれ吸引スペース２２−１内で搬送方向Ａに対して垂直方向（矢印Ｈ１、Ｈ２方向）に移動可能に設けられている。
【００６１】
各吸着力調整部８０、９０は、それぞれ第１と第２の仕切り部材移動部８２、９２を備える。第１と第２の仕切り部材移動部８２、９２は、それぞれ記録媒体８のサイズＳ１、Ｓ２、Ｓ３に応じて第１と第２の仕切り部材８１、９１を矢印Ｈ１、Ｈ２方向に移動させる。第１と第２の仕切り部材８１、９１は、矢印Ｈ１、Ｈ２方向に移動し、第１と第２の仕切り部材８１、９１により仕切られた吸引スペース２２−１を記録媒体８のサイズＳ１、Ｓ２、Ｓ３に応じて可変する。
【００６２】
第１の仕切り部材移動部８２には、駆動源としての第１の仕切り駆動モータ８３が設けられている。第１の仕切り駆動モータ８３の回転軸には、第１の伝達機構８４が連結されている。第１の伝達機構８４は、第１の仕切り駆動モータ８３の回転軸の回転を第１の仕切り部材８１の移動方向Ｈ１に変換して仕切り部材８１に伝達する。
【００６３】
具体的に第１の仕切り駆動モータ８３の回転軸には、第１のウォームギア８５が設けられている。第１のウォームギア８５には、第１のギア８６が歯合している。第１のギア８６は、第１のシャフト８７に設けられている。第１のシャフト８７は、搬送方向Ａに対して平行に配置され、同搬送方向Ａに平行な矢印Ｊ１方向に移動可能に設けられている。これにより、第１の仕切り駆動モータ８３の回転は、第１のウォームギア８５、第１のギア８６を介して第１のシャフト８７の矢印Ｊ１方向への直線移動に変換される。
【００６４】
第１のシャフト８７の両端部には、それぞれ第１と第２の伝達変換機構８８、８９が設けられている。第１と第２の伝達変換機構８８、８９は、それぞれ第１のシャフト８７の矢印Ｊ１方向への直線移動を第１の仕切り部材８１の矢印Ｈ１方向への移動に変換する。
【００６５】
第１の伝達変換機構８８は、第１の伝達部材８８−１と、第２の伝達部材８８−２とを有する。第１の伝達部材８８−１は、一端を第１のシャフト８７に対して回動自在に設け、他端を第１の仕切り部材８１に対して回動自在に設けられている。第２の伝達部材８８−２は、一端を搬送筐体２２に設け、他端を第１の伝達部材８８−１の中央部に対して回動自在に設けている。
【００６６】
第２の伝達変換機構８９は、第１の伝達部材８９−１と、第２の伝達部材８９−２とを有する。第１の伝達部材８９−１は、一端を第１のシャフト８７に対して回動自在に設け、他端を第１の仕切り部材８１に対して回動自在に設けられている。第２の伝達部材８９−２は、一端を搬送筐体２２に設け、他端を第１の伝達部材８９−１の中央部に対して回動自在に設けている。
【００６７】
第２の仕切り部材移動部９２は、第１の仕切り部材移動部８２と同一構成を有する。第２の仕切り部材移動部９２は、第１の仕切り駆動モータ９３と、第１の伝達機構９４とを有する。第１の伝達機構９４は、第１のウォームギア９５と、第１のギア９６と、第１のシャフト９７と、第１と第２の伝達変換機構９８、９９を有する。第１の伝達変換機構９８は、第１の伝達部材９８−１と、第２の伝達部材９８−２とを有する。第２の伝達変換機構９９は、第１の伝達部材９９−１と、第２の伝達部材９９−２とを有する。
【００６８】
図１５は記録制御部７０の構成図を示す。移動制御部６２は、操作部７２に設定された記録媒体８のサイズＳ１、Ｓ２、Ｓ３を受け、第１と第２の仕切り部材移動部８２、９２の各仕切り駆動モータ８３、９３をそれぞれ動作制御し、第１と第２の仕切り部材８１、９１をそれぞれ矢印Ｈ１、Ｈ２方向に連動して移動させ、各サイズＳ１、Ｓ２、Ｓ３の記録媒体８の両エッジに対応する各位置に配置する。
【００６９】
次に、上記の如く構成された装置の動作について説明する。
【００７０】
操作部７２に記録媒体８のサイズＳ１が設定されると、移動制御部６２は、図１４に示すように移動制御部６２は、第１と第２の仕切り駆動モータ８３、９３をそれぞれ動作制御する。第１の仕切り駆動モータ８３の回転は、第１のウォームギア８５、第１のギア８６を介して第１のシャフト８７の矢印Ｊ１方向への直線移動に変換される。第１と第２の伝達変換機構８８、８９は、共に連動して、第１のシャフト８７の矢印Ｊ１方向への直線移動を第１の仕切り部材８１の矢印Ｈ１方向への移動に変換する。
【００７１】
これと共に、第２の仕切り駆動モータ９３の回転は、第１のウォームギア９５、第１のギア９６を介して第１のシャフト９７の矢印Ｊ２方向への直線移動に変換される。第１と第２の伝達変換機構９８、９９は、共に連動して、第１のシャフト９７の矢印Ｊ２方向への直線移動を第１の仕切り部材９
１の矢印Ｈ１方向への移動に変換する。
【００７２】
この結果、第１と第２の仕切り部材８１、９１は、それぞれ矢印Ｈ１、Ｈ２方向に連動して移動し、サイズＳ１の記録媒体８の両エッジに対応する各位置に配置される。
【００７３】
各吸着ファン２７ａ、２７ｂ、２７ｃの回転によりエアーは、搬送ベルト２６の各吸引口２６ａ、天板３０の各第１の吸引口３２、サイズＳ１の記録媒体８に応じて第１と第２の仕切り部材８１、９１により仕切られた吸引スペース２２−１、各ダクト開口部２２−４〜２２−６を通して吸引される。エアーの吸引によりサイズＳ１の記録媒体８は、搬送ベルト２６上に吸着される。
【００７４】
記録媒体８のサイズＳ２が設定されると、上記同様に、第１と第２の仕切り部材８１、９１は、サイズＳ２の記録媒体８の両エッジに対応する各位置に配置される。
【００７５】
記録媒体８のサイズＳ３が設定されると、上記同様に、第１と第２の仕切り部材８１、９１は、サイズＳ３の記録媒体８の両エッジに対応する各位置に配置される。
【００７６】
このように上記第２の実施の形態によれば、第１と第２の仕切り部材８１、９１を記録媒体８の各サイズＳ１、Ｓ２、Ｓ３に応じて配置し、第１と第２の仕切り部材８１、９１により仕切られる吸引スペース２２−１の大きさを記録媒体８の各サイズＳ１、Ｓ２、Ｓ３に対応して可変する。これにより、記録媒体８の各サイズＳ１、Ｓ２、Ｓ３が小さくなるに従って搬送ベルト２６上での記録媒体８の吸着範囲は、小さくなる。従って、記録媒体８のサイズＳ１、Ｓ２、Ｓ３に応じた吸着力で記録媒体８を搬送ベルト２６上に吸着できるので、上記第１の実施の形態と同様に、記録媒体８に高品質な記録ができる。
【００７７】
第１と第２の仕切り部材移動部８２、９２は、１つの仕切り部材移動部として構成してもよい。第１の第２の仕切り駆動モータ８３、９３を設けているが、１つの仕切り駆動モータにより第１と第２の仕切り部材８１、９１を移動させる構成にしてもよい。
【００７８】
次に、本発明の第３の実施の形態について図面を参照して説明する。
【００７９】
図１６は画像記録装置１における搬送筐体２２の構成図を示す。吸引用枠体２２−２の吸引スペース２２−１内には、吸着力調整部１００が設けられている。吸着力調整部１００は、記録媒体８のサイズＳ１、Ｓ２に応じてエアー吸引により生じる搬送ベルト２６上への記録媒体８の吸着力を調整する。吸着力調整部１００は、記録媒体８のサイズＳ１、Ｓ２、Ｓ３に応じて記録媒体８の吸着力を調整可能なことは言うまでもない。
【００８０】
具体的に、吸着力調整部１００は、複数の分割部材１０１〜１０６を有する。各分割部材１０１〜１０４は、吸引スペース２２−１内を搬送方向Ａに対して垂直方向に分割する。各分割部材１０５、１０６は、吸引スペース２２−１内を搬送方向Ａに分割する。各分割部材１０１〜１０４により複数の吸引区域Ｋ１〜Ｋ９が形成される。各分割部材１０３、１０４は、サイズＳ１の記録媒体８のエッジ位置に対応する。各分割部材１０１、１０２は、サイズＳ２の記録媒体８のエッジ位置に対応する。
【００８１】
吸引区域Ｋ１には、各吸引区域Ｋ２、３が搬送方向Ａに対して垂直方向に隣接する。吸引区域Ｋ１には、ダクト開口部２２−４が設けられている。各吸引区域Ｋ２、３には、それぞれ各ダクト開口部１０７、１０８が設けられている。ダクト開口部２２−４の開口面積は、各ダクト開口部１０７、１０８の各開口面積を合わせた面積に等しい。
【００８２】
吸引区域Ｋ４には、各吸引区域Ｋ５、６が搬送方向Ａに対して垂直方向に隣接する。吸引区域Ｋ４には、ダクト開口部２２−５が設けられている。各吸引区域Ｋ５、６には、それぞれ各ダクト開口部１０９、１１０が設けられている。ダクト開口部２２−５の開口面積は、各ダクト開口部１０９、１１０の各開口面積を合わせた面積に等しい。
【００８３】
吸引区域Ｋ７には、各吸引区域Ｋ８、９が搬送方向Ａに対して垂直方向に隣接する。吸引区域Ｋ７には、ダクト開口部２２−６が設けられる。各吸引区域Ｋ８、９には、それぞれ各ダクト開口部１１１、１１２が設けられている。ダクト開口部２２−６の開口面積は、各ダクト開口部１１１、１１２の各開口面積を合わせた面積に等しい。
【００８４】
図１７はダクトの配設図を示す。ダクト開口部２２−４は、ダクト１２０に接続されている。各ダクト開口部１０７、１０８は、ダクト１２１に接続されている。ダクト１２０には、吸着ファン１２２が設けられている。ダクト１２１には、吸着ファン１２３が設けられている。
【００８５】
ダクト開口部２２−５は、ダクト１２４に接続されている。各ダクト開口部１０９、１１０は、ダクト１２５に接続されている。ダクト１２４には、吸着ファン１２６が設けられている。ダクト１２５には、吸着ファン１２７が設けられている。
【００８６】
ダクト開口部２２−６は、ダクト１２８に接続されている。各ダクト開口部１１１、１１２は、ダクト１２９に接続されている。ダクト１２８には、吸着ファン１３０が設けられている。ダクト１２９には、吸着ファン１３１が設けられている。
【００８７】
図１８は記録制御部７０の構成図を示す。吸引区域制御部１３２は、操作部７２に設定された記録媒体８のサイズＳ１、Ｓ２を受け、記録媒体８のサイズＳ１、Ｓ２に応じて各吸着ファン１２２、１２３、…、１３１を選択的に駆動し、記録媒体８のサイズＳ１、Ｓ２に応じてエアーを吸引する各吸引区域Ｋ１〜Ｋ９を駆動制御する。
【００８８】
吸引区域制御部１３２は、記録媒体８がサイズＳ１であれば、全ての吸引区域Ｋ１、Ｋ２、…、Ｋ９の全ての吸着ファン１２２、１２３、…、１３１を駆動する。
【００８９】
吸引区域制御部１３２は、記録媒体８がサイズＳ２であれば、各吸引区域Ｋ１、Ｋ４、Ｋ７の各吸着ファン１２２、１２６、１３０を駆動する。
【００９０】
次に、上記の如く構成された装置の動作について説明する。
【００９１】
操作部７２に記録媒体８のサイズＳ１が設定されると、吸引区域制御部１３２は、全ての吸引区域Ｋ１、Ｋ２、…、Ｋ９の全ての吸着ファン１２２、１２３、…、１３１を駆動する。全ての吸着ファン１２２、１２３、…、１３１の駆動により全てのダクト１２０、１２１、…、１２９を通して全てのダクト開口部２２−４、２２−５、…、１０７、…、１１２を通してエアー吸引が行われる。この結果、サイズＳ２の記録媒体８に応じた全ての吸引区域Ｋ１〜Ｋ９でエアー吸引が行われる。
【００９２】
各ダクト開口部２２−４〜２２−６は、同一の開口面積に形成されている。ダクト開口部２２−４の開口面積は、各ダクト開口部１０７、１０８の各開口面積を合わせた面積に等しい。ダクト開口部２２−５の開口面積は、各ダクト開口部１０９、１１０の各開口面積を合わせた面積に等しい。ダクト開口部２２−６の開口面積は、各ダクト開口部１１１、１１２の各開口面積を合わせた面積に等しい。従って、記録媒体８は、全ての吸引区域Ｋ１〜Ｋ９に亘って均一な吸着力で搬送ベルト２６上に吸着される。
【００９３】
操作部７２に記録媒体８のサイズＳ２が設定されると、吸引区域制御部１３２は、各吸引区域Ｋ１、Ｋ４、Ｋ７の各吸着ファン１２２、１２６、１３０を駆動する。各吸着ファン１２２、１２６、１３０の駆動により各ダクト１２０、１２４、１２８を通して各ダクト開口部２２−４、２２−５、２２−６を通してエアー吸引が行われる。この結果、サイズＳ１の記録媒体８に応じた各吸引区域Ｋ１、Ｋ４、Ｋ７でエアー吸引が行われる。
【００９４】
このように上記第３の実施の形態によれば、各吸引区域Ｋ１〜Ｋ９毎にそれぞれ各ダクト１２０、１２１、…、１２９を配管し、各ダクト１２０、１２１、…、１２９に設けられた各吸着ファン１２２、１２３、…、１３１を選択的に駆動する。これにより、上記第１の実施の形態と同様に、記録媒体８のサイズＳ１、Ｓ２に応じた吸着力で記録媒体８を搬送ベルト２６上に吸着でき、記録媒体８に高品質な記録ができる。
【００９５】
各吸着ファンは、各ダクト開口部２２−４、２２−５、…、１０７、…、１１２毎に設けてもよい。この場合、吸引区域制御部１３２は、記録媒体８のサイズＳ１、Ｓ２に応じて各吸着ファンを選択的に駆動する。
【００９６】
次に、本発明の第４の実施の形態について図面を参照して説明する。
【００９７】
図１９は画像記録装置１の構成図を示す。画像記録装置１は、記録媒体８の両面に記録を行う。画像形成部４Ｐには、反転機構１４０が設けられている。反転機構１４０は、搬送機構１９から送り出された記録媒体８の一方の面（表面）と他方の面（裏面）とを反転する。反転機構１４０は、戻し搬送路１４１と、スイッチバック搬送路１４２とを有する。
【００９８】
戻し搬送路１４１は、搬送機構１９から送り出された記録媒体８を搬送機構１９の供給側に搬送する（矢印Ｌ方向）。戻し搬送路１４１は、所定間隔毎に配置された複数の反転用ローラ対１４１ａを含む。各反転用ローラ対１４１ａは、それぞれ記録媒体８を矢印Ｌ方向に送る方向に回転する。
【００９９】
スイッチバック搬送路１４２は、戻し搬送路１４１により戻された記録媒体８をスイッチバックし（矢印Ｍ方向から矢印Ｎ方向）、再び搬送機構１９に供給する。スイッチバック搬送路１４２は、スイッチバック搬送路１４２は、所定間隔毎に配置された複数のスイッチバック用ローラ対１４１ａを含む。スイッチバック用ローラ対１４１ａは、それぞれ記録媒体８を矢印Ｌ方向に送る方向に回転し、記録媒体８がスイッチバック搬送路１４２の端部１４３に到達するタイミングで逆転し、記録媒体８を矢印Ｍ方向に送る。
【０１００】
天板３０の下方には、上記第１の実施の形態の吸着力調整部４０、上記第２の実施の形態の各吸着力調整部８０、９０、又は上記第３の実施の形態の吸着力調整部１００のいずれかが設けられている。
【０１０１】
図２０は記録制御部７０の構成図を示す。搬送制御部７３は、上記同様に搬送機構１９を動作制御し、かつ反転機構１４０における戻し搬送路１４１の各反転用ローラ対１４１ａを回転駆動すると共に、スイッチバック搬送路１４２のスイッチバック用ローラ対１４１ａを回転駆動する。搬送制御部７３は、記録媒体８がスイッチバック搬送路１４２の端部１４３に到達するタイミングでスイッチバック用ローラ対１４１ａの回転を逆転する。
【０１０２】
ファン制御部１４４は、反転機構１４０により反転された記録媒体８を再び搬送機構１９に送ると、この時点から各吸着ファン２７ａ、２７ｂ、２７ｃの回転数を多くする。ファン制御部１４４は、記録媒体８の表面に記録を行う場合、各吸着ファン２７ａ、２７ｂ、２７ｃを第１の回転数により回転させる。ファン制御部１４４は、記録媒体８の裏面に記録を行う場合、各吸着ファン２７ａ、２７ｂ、２７ｃを第１の回転数よりも多い第２の回転数により回転させる。第１及び第２の回転数は、予め設定されている。ファン制御部１４４は、反転された記録媒体８が搬送機構１９による反転された記録媒体８の搬送が終了すると、各吸着ファン２７ａ、２７ｂ、２７ｃの回転数を第２の回転数から第１の回転数に戻す。
【０１０３】
次に、上記の如く構成された装置の動作について説明する。
【０１０４】
搬送機構１９は、記録媒体８を搬送する。ファン制御部１４４は、各吸着ファン２７ａ、２７ｂ、２７ｃを第１の回転数により回転させる。これにより、記録媒体８は、搬送ベルト２６上に吸着される。各インクジェットヘッド２０ｋ、２０ｃ、２０ｍ、２０ｙは、それぞれインクの吐き出する。これにより、記録媒体８の表面に画像が記録される。
【０１０５】
この後、反転機構１４０の戻し搬送路１４１は、搬送機構１９から送り出された記録媒体８を搬送機構１９の供給側に搬送する（矢印Ｌ方向）。スイッチバック搬送路１４２は、戻し搬送路１４１により戻された記録媒体８をスイッチバックし（矢印Ｍ方向から矢印Ｎ方向）、再び搬送機構１９に供給する。これにより、搬送機構１９には、表裏の反転された記録媒体８が供給される。
【０１０６】
搬送機構１９は、反転した記録媒体８を搬送する。ファン制御部１４４は、各吸着ファン２７ａ、２７ｂ、２７ｃを第１の回転数よりも多い第２の回転数により回転させる。これにより、記録媒体８は、表面に記録を行う場合と比較して大きな吸着力により搬送ベルト２６上に吸着される。各インクジェットヘッド２０ｋ、２０ｃ、２０ｍ、２０ｙは、それぞれインクの吐き出する。これにより、記録媒体８の裏面に画像が記録される。
【０１０７】
このように上記第４の実施の形態によれば、記録媒体８の裏面に記録を行うとき、各吸着ファン２７ａ、２７ｂ、２７ｃの回転数を大きくし、記録媒体８の表面に記録を行うときよりも大きな吸着力で記録媒体８を搬送ベルト２６上に吸着する。この場合、天板３０の下方に各吸着力調整部４０、８０、９０、１００のうちいずれが設けられていても、記録媒体８への吸着力を大きくする。
【０１０８】
記録媒体８の表面にインクを着弾させたとき、記録媒体８は、インクを吸収し、波状に膨らんでコックリング現象を生じることがある。記録媒体８の裏面に記録を行うとき、記録媒体８は、大きな吸着力により搬送ベルト２６上に吸着されるので、波状に膨らんだ記録媒体８を平面状に矯正できる。従って、記録媒体８に高品質な記録ができる。
【０１０９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１０】
１：画像記録装置、４Ｐ：画像形成部、１９：搬送機構、２０ｋ，２０ｃ，２０ｍ，２０ｙ：インクジェットヘッド、２６：搬送ベルト、２６ａ：吸引口、２７ａ，２７ｂ，２７ｃ：吸着ファン、２２−１：吸引スペース、２２−２：吸引用枠体、２２−４〜２２−６：ダクト開口部、３２：第１の吸引口、４０：吸着力調整部、４１：吸引口蓋板、４２：部材移動部、４３：第２の吸引口、４３ａ：第２の吸引口、４３ｂ：第２の吸引口、４３ｃ：第２の吸引口、８０，９０：吸着力調整部、８１：第１の仕切り部材、９１：第２の仕切り部材、８８：第１の仕切り部材移動部、８９：第２の仕切り部材移動部。
【先行技術文献】
【特許文献】
【０１１１】
【特許文献１】特開２００５−８９０７４号公報
【図１】
2010155457.tif 000003
【図２】
2010155457.tif 000004
【図３】
2010155457.tif 000005
【図４】
2010155457.tif 000006
【図５】
2010155457.tif 000007
【図６】
2010155457.tif 000008
【図７】
2010155457.tif 000009
【図８】
2010155457.tif 000010
【図９】
2010155457.tif 000011
【図１０】
2010155457.tif 000012
【図１１】
2010155457.tif 000013
【図１２】
2010155457.tif 000014
【図１３】
2010155457.tif 000015
【図１４】
2010155457.tif 000016
【図１５】
2010155457.tif 000017
【図１６】
2010155457.tif 000018
【図１７】
2010155457.tif 000019
【図１８】
2010155457.tif 000020
【図１９】
2010155457.tif 000021
【図２０】
2010155457.tif 000022